(57)【特許請求の範囲】
【請求項１】
縦方向、横方向及び厚さ方向を有し、身体対向面及び非身体対向面と、腹側域と、背側域と、前記縦方向において前記腹側域と前記背側域との間に位置する中間域と、吸液性コアを有する吸液層とを含む愛玩動物用の吸収性物品において、
前記中間域の前記背側域側に位置する尻尾開口形成用の切断ラインと、前記吸液層の前記非身体対向側に位置し、尿に接触して呈色を示すインジケータとをさらに有し、
前記吸液層は、前記切断ラインよりも前記腹側域側に位置しており、
前記吸液性コアは、前記切断ラインと対向する第１端縁と、前記第１端縁と前記縦方向において対向する第２端縁とを有し、
前記インジケータが、前記吸液性コアの前記第１端縁及び前記第２端縁の少なくとも前記第１端縁の前記縦方向の外側に位置することを特徴とする前記吸収性物品。
【請求項２】
前記インジケータは、前記吸液性コアと前記厚さ方向において重なる積層部分と、前記吸液性コアの端縁から前記縦方向の外側に延在する非積層部分とを有する請求項１に記載の吸収性物品。
【請求項３】
前記インジケータが、前記吸液層の縦方向中心部よりも前記背側域側にのみ位置する請求項１又は２に記載の吸収性物品。
【請求項４】
前記切断ラインが、前記背側域へ向かって凸曲した形状を有し、前記インジケータの前記非積層部分が、前記切断ライン内の領域に位置している請求項１〜３のいずれかに記載の吸収性物品。
【請求項５】
前記吸液層は、前記吸液性コアのうちの前記身体対向面側及び前記非身体対向面側の少なくとも一方側を被覆する親水性のコアカバーシートとをさらに有し、前記コアカバーシートと前記インジケータとが前記厚さ方向において重なっている請求項１〜４のいずれかに記載の吸収性物品。
【請求項６】
前記コアカバーシートは、前記吸液性コアの端縁から前記縦方向の外側へ延出する端部を有し、前記端部と前記インジケータとが前記厚さ方向において重なる請求項５に記載の吸収性物品。
【請求項７】
外面視において視認可能な色を有する装飾域と、非装飾域とを有し、前記インジケータの少なくとも一部が前記非装飾域と前記厚さ方向において互いに重なる請求項１〜６のいずれかに記載の吸収性物品。
【発明の詳細な説明】
【技術分野】
【０００１】
本発明は、犬や猫等の愛玩動物（ペット）の尿等の排泄物を吸収するための吸収性物品に関する。
【背景技術】
【０００２】
従来、犬や猫等の愛玩動物の身体に着用させるための愛玩動物用の吸収性物品は公知である。例えば、特許文献１には、腹側域と、背側域と、吸収性コアを有する吸液層（吸液パッド）とを含む愛玩動物用の吸収性物品が開示されている。
【先行技術文献】
【特許文献】
【０００３】
【特許文献１】特開平１０−７５６７９公報
【発明の概要】
【発明が解決しようとする課題】
【０００４】
特許文献１に開示された吸収性物品においては、雌の愛玩動物の排尿口が吸液層の尻尾開口側の端部と対向して位置するために、複数排泄を繰り返すことによって、吸液層全体に尿が拡散される前に尻尾開口側へ向かって拡散される。着用補助者は、吸収性物品を着用させた状態において排尿したことを視認することができないばかりでなく、尿が尻尾開口に向かって拡散されていることを外部から視認することができないので、吸収性物品を交換する時期を正確に把握することができず、拡散された体液が尻尾開口から外部に漏れ出てしまうおそれがある。
【０００５】
本発明は、従来の愛玩動物用の吸収性物品の改良であって、尿に接触して呈色するインジケータを備え、尻尾開口から尿が外部に漏れ出るのを防止することのできる吸収性物品の提供を課題にしている。
【課題を解決するための手段】
【０００６】
本発明は、縦方向、横方向及び厚さ方向を有し、身体対向面及び非身体対向面と、腹側域と、背側域と、前記縦方向において前記腹側域と前記背側域との間に位置する中間域と、吸液性コアを有する吸液層とを含む愛玩動物用の吸収性物品に関する。
【０００７】
本発明に係る愛玩動物用の吸収性物品は、前記中間域の前記背側域側に位置する尻尾開口形成用の切断ラインと、前記吸液層の前記非身体対向側に位置し、尿に接触して呈色を示すインジケータとをさらに有し、前記吸液層は、前記切断ラインよりも前記腹側域側に位置しており、前記吸液性コアは、前記切断ラインと対向する第１端縁と、前記第１端縁と前記縦方向において対向する第２端縁とを有し、前記インジケータが、前記吸液性コアの前記第１端縁及び前記第２端縁の少なくとも前記第１端縁の前記縦方向の外側に位置することを特徴とする。
【０００８】
前記インジケータは、前記吸液性コアと前記厚さ方向において重なる積層部分と、前記吸液性コアの端縁から前記縦方向の外側に延在する非積層部分とを有することから、最初の排泄がされたことを知らせる機能と、吸液性コアの端縁から尿が滲出、拡散したことを知らせる機能とを有する。
【０００９】
前記インジケータが、前記吸液層の縦方向中心部よりも前記背側域側にのみ位置するので、愛玩動物の背面視において、呈色の有無を視認することができるとともに、材料コストを抑えることができる。
【００１０】
前記切断ラインが、前記背側域へ向かって凸曲した形状を有し、前記インジケータの前記非積層部分が、前記切断ライン内の領域に位置していることによって、着用状態において舌片の内側に位置した非積層部分が直接外部に露出されて、呈色による変化前後の色を見比べて、呈色を確認することができる。
【００１１】
前記吸液層は、前記吸液性コアのうちの前記身体対向面側及び前記非身体対向面側の少なくとも一方側を被覆する親水性のコアカバーシートとをさらに有し、前記コアカバーシートと前記インジケータとが前記厚さ方向において重なっていることから、排尿の拡散性が向上し、呈色を促進させることができる。
【００１２】
前記コアカバーシートは、前記吸液性コアの端縁から前記縦方向の外側へ延出する端部を有し、前記端部と前記インジケータとが前記厚さ方向において重なることによって、吸液性コアの端縁から滲出された尿のみならずコアカバーシートにおいて拡散した尿にも接触することによって、呈色が促進される。
【００１３】
外面視において視認可能な色を有する装飾域と、非装飾域とを有し、前記インジケータの少なくとも一部が前記非装飾域と前記厚さ方向において互いに重なることから、装飾域と重なる場合に比べて、外部からインジケータの呈色を視認しやすくなる。
【発明の効果】
【００１４】
本発明の１つ以上の実施の形態に係る愛玩動物用の吸収性物品では、インジケータが吸液性コアの端縁及び第２端縁の少なくとも一方端縁から縦方向の外側に位置することから、吸液層の一方端縁からさらに縦方向の外側に拡散した尿によってインジケータが呈色を示し、尿が吸液性コアの外側へ拡散したことを外部から容易に視認することができる。
【図面の簡単な説明】
【００１５】
図面は、本発明の特定の実施の形態を示し、発明の不可欠な構成ばかりでなく、選択的及び好ましい実施の形態を含む。
【図１】本発明の愛玩動物用の吸収性物品の一例における、第１実施形態のおむつの着用状態における斜視図。
【図２】各弾性体の最大伸長時（弾性材料の収縮作用によるギャザーがなくなる程度）まで縦方向及び横方向に伸展した吸収性物品の一部破断展開平面図。
【図３】図２のＩＩＩ−ＩＩＩ線に沿う断面図。
【図４】図２のＩＶ−ＩＶ線に沿う断面図。
【図５】図２の一点鎖線Ｖで囲んだ領域の一部拡大図。
【図６】吸収性物品を着用した愛玩動物の背面視を示す図。
【図７】変形例の一例における背面側から視たおむつの平面図。
【図８】第２実施形態における図２と同様の展開平面図。
【図９】第３実施形態における図２と同様の展開平面図。
【発明を実施するための形態】
【００１６】
下記の各実施の形態は、図１〜図９に示す愛玩動物用の吸収性物品に関し、発明の不可欠な構成ばかりではなく、選択的及び好ましい構成を含む。
【００１７】
図１〜図４を参照すると、愛玩動物（ペット）用の吸収性物品の一例であるおむつ１０は、縦方向Ｙ、横方向Ｘ及び厚さ方向Ｚと、愛玩動物５の身体と対向する身体対向面とその反対側に位置する非身体対向面とを有し、腹側域１１と、背側域１２と、縦方向Ｙにおいて腹側域１１と背側域１２と間に位置する中間域１３とを有するおむつ本体１４と、腹側域１１の両側縁から横方向Ｘの外方へ延びる一対のファスニングタブ１５（係止手段）とを含む。腹側域１１と背側域１２とは、それぞれ、愛玩動物５の後肢７よりも前方に位置する腹部、腰部を被覆する領域であって、中間域１３は、後肢７の大腿部間を含めて尻部全体を被覆する領域を意味する。吸収性物品１０は、その横方向Ｘにおける寸法を２等分する縦断中心線Ｐと、その縦方向Ｙにおける寸法を２等分する横断中心線Ｑとを有する。
【００１８】
ファスニングタブ１５の身体対向面には、メカニカルファスナのフック群から形成された第１ファスニング要素１８が配置されている。また、背側域１２の外面には、ファスニングタブ１５の第１ファスニング要素１８を脱離可能に止着するための、横方向Ｘへ延びるメカニカルファスナのループ群から形成された第２ファスニング要素１９を有する受止部２０がホットメルト接着剤（図示せず）を介して取り付けられている。吸収性物品１０の着用時において、一対のファスニングタブ１５の第１ファスニング要素１８と背側域１２の外面に位置する第２ファスニング要素１９とを係合することによって、ウエスト開口及び一対のレッグ開口が画成される。
【００１９】
なお、第１ファスニング要素１８と第２ファスニング要素１９とからなるファスニングシステムにおいて、それが所要の剥離強度を有するものであれば、第１ファスニング要素１８をフック群に替えて接着剤を塗布して形成してもよい。この場合には、第１ファスニング要素１８を保護するために、シリコンを塗布したセパレータで第１ファスニング要素１８の表面を被覆してもよい。ファスニングタブ１５を形成する基材シートは、例えば、プラスチックフィルム、繊維不織布、それらのラミネートやクラフト紙等の比較的に剛性及び引張強度の高いシート材料から形成することが好ましい。また、本発明の所要の効果を奏する限りにおいて、ファスニングタブ１５を用いることなく、後記の腹側サイドフラップに設けられた第１ファスニング要素１８を直接第２ファスニング要素１９に脱離可能に係合してもよい。
【００２０】
おむつ本体１４の外形寸法は、愛玩動物の身体の大きさによって適宜自由に設計しうるものであるが、標準的な小型犬や猫に使用する場合には、縦方向Ｙの寸法Ｌ１は、３００〜６００ｍｍ、横方向Ｘの寸法Ｗ１は、２００〜４００ｍｍである。
【００２１】
＜おむつ本体＞
おむつ本体１４は、縦方向Ｙにおいて互いに対向して横方向Ｘへ延びる第１及び第２端縁１４ａ，１４ｂと、第１及び第２端縁１４ａ，１４ｂ間に位置して凹曲状に縦方向へ延びる両側縁（レッグ開口縁）１４ｃ，１４ｄとを有する。おむつ本体１４は、さらに、身体対向面側に位置する透液性の内層シート２２と、おむつ本体１４の外形をなし、透湿性プラスチックフィルム、繊維不織布、それらのラミネートシート等から形成され、非身体対向面側に位置する不透液性の外層シート２３と、内外層シート２２，２３間の間に介在された吸液層２５とを含む。内層シート２２と外層シート２３とは、吸液層２５の周縁部から延出しており、該延出部位における両シート２２，２３のうちの少なくともいずれか一方の内面に塗布されたホットメルト接着剤（図示せず）を介して互いに接合されている。内層シート２２と外層シート２３との間であって吸液層２５の非身体対向面側には、不透液性かつ透湿性のプラスチックフィルムから形成された防漏シート２６が配置されており、両シート２２，２３のうちのいずれか一方の内面に塗布されたホットメルト接着剤（図示せず）を介して固定されている。
【００２２】
図２〜図４を参照すると、吸液層２５よりも背側域１２側には、愛玩動物５の尾部６を挿通する尻尾開口（挿通孔）を形成するための切断ライン（ミシン目）３０が配置される。切断ライン３０は、平面視において互いに重なる内層シート２２、防漏シート２６及び外層シート２３を貫通する。
【００２３】
切断ライン３０に沿っておむつ本体１４の一部を切断し、各シート２２，２３，２６が接合又は非接合された状態における舌片３１（図１参照）を外側へ向けて折り曲げることによって尻尾開口が形成される。尻尾開口は、尾部６を挿通するだけでなく、尾部６の真下に位置する肛門から排泄される排泄物（糞）を外部に排出できるように、肛門と対向することができる程度の大きさを有することが好ましい。このように、尻尾開口に尾部６を挿通するとともに肛門を露出させることによって、おむつ本体１４内に収容された排泄物が被毛に絡んでしまうことを防止することができる。また、舌片３１は、おむつ本体１４から分離（切り取り）可能であって、舌片３１を分離することによって、舌片３１に肛門から排泄された排泄物がそれに付着するのを防止することができる。
【００２４】
吸液層２５は、尻尾開口を画成する切断ライン３０よりも腹側域１１側に位置しており、第１端縁１４ａ側に位置する第１端域２５Ａと、第２端縁１４ｂ側（背側域１２側）に位置する第２端域２５Ｂと、第１端域２５Ａと第２端域２５Ｂとの間に位置する、それらよりも幅狭の中間域２５Ｃとを有する。
【００２５】
吸液層２５は、吸液性コア４０と、吸液性コア４０の身体対向面側及び非身体対向面側のうちの少なくとも一方側を被覆するコアカバーシート４１とを有する。吸液性コア４０は、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成された半剛性のパネル状であって、横方向Ｘへ延びる前後端縁４０ａ，４０ｂと、縦方向Ｙへ凹状に延びる両側縁とから外形輪郭をなしている。コアカバーシート４１は、親水性かつ液拡散性を有する不織布又はティッシュペーパから形成されており、吸液性コア４０の前後端縁４０ａ，４０ｂから縦方向Ｙの外側へ延出する両端部４３，４４を有する。
【００２６】
本実施形態において、吸液層２５は、腹側域１１から中間域１３へ延在しており、背側域１２には延在していない。雄雌問わず愛玩動物５の排尿器は尾部６よりも腹側に位置していることから、通常の直立状態において尿が背側に回り込むことはなく、吸液層２５は少なくとも排尿器と対向する中間域１３と腹側域１１とに配置されていればよい。したがって、このように吸液層２５の特異な配置態様を採用することによって、尿が排泄されない背側域１２に吸液層２５を延在させる場合に比して、吸液層２５による吸収効率を向上させることができるとともに、製造コストを低減できる。さらに、吸液層２５によって背側域１２がごわつくことを防止し、背側域１２における通気性を向上して蒸れを防止することができる。
【００２７】
図２〜図５を参照すると、吸液層２５と防漏シート２６との間には、縦方向Ｙへ延びる、インジケータ５０が配置されている。インジケータ５０は、尿等の水分と接触して呈色反応を示す指示薬（例えば、ＰＨ指示薬）を含むホットメルト接着剤から形成されている。ここで、インジケータの呈色反応とは、おむつ１０を構成するシート材料と同様の白色から赤色や青色等の有彩色に変化する場合と、有彩色から有彩色に色が変化する場合を意味するものである。インジケータ５０は、図示例に限定されるものではなく、複数のラインから形成されたものであってもよいし、横方向Ｘへ延びる複数又は単数のラインであったり、スパイラル状に連続的又は非連続的に延びるラインであったり、ドット状、円形、矩形等の各種公知の形状であってもよい。なお、図示していないが、呈色の速度を適度にコントロールするために、インジケータ５０は、疎水性及び耐水性を有するカバーシートによって、身体対向面側に一部が被覆されていてもよい。
【００２８】
吸液層２５は、縦方向Ｙの寸法Ｌ２が、吸収性物品１０の縦方向Ｙの寸法Ｌ１の３０〜５０％、好ましくは、約４０％の大きさであって、その横方向Ｘの寸法Ｗ２が吸収性物品１０の幅寸法Ｗ１の約３０〜５０％、好ましくは、約４０％の大きさである。また、インジケータ５０は、吸液層２５に吸収、拡散された尿によって呈色したときに着用補助者が容易に外部から変化後の色を視認できるようにするために、縦方向Ｙの寸法Ｌ３が吸液層２５の縦方向Ｙの寸法Ｌ２の約７０〜９０％の大きさであって、その横方向Ｘの寸法Ｗ３が、吸液層２５の横方向Ｘの寸法Ｗ２の約１〜１０％、好ましくは、２〜５％の大きさであることが好ましい。また、後記のように愛玩動物５の背面視においてインジケータ５０が視認できるように、吸液層２５の縦方向Ｙ中央部から背側域１２側に延びていることが好ましい。
【００２９】
図６を参照すると、インジケータ５０は、さらに、厚さ方向Ｚにおいて吸液性コア４０と重なる積層部分５１と積層部分５１から第２端縁１４ｂ側へ延びる、吸液性コア４０の後端縁４０ｂから縦方向Ｙの外側へ延びる非積層部分（延出部分）５２とを有する。インジケータ５０の非積層部分５２は、吸液性コア４０の後端縁４０ｂから縦方向Ｙの外側に延びるコアカバーシート４１の前端部４３と重なっており、その一部は、第２端縁１４ｂへ向かって凸曲した切断ライン３０内の領域からなる舌片３１内に位置している。具体的には、非積層部分５２の一部が、切断ライン３０の両端縁３０ａ，３０ｂの間においてそれらを越えて頂点へ向かって延びている。このように、インジケータ５０が、切断ライン３０内の舌片３１内に位置することによって、切断ライン３０を切断して尻尾開口を形成して愛玩動物５の尾部６を挿通させたときに、舌片３１が裏返って内面が露出し、その内面に位置するインジケータ５０の非積層部分５２が直接的に外部に視認される（図７参照）。
【００３０】
再び、図２及び図３を参照すると、内層シート２２の身体対向面における吸液層２５の横方向Ｘの外方には、縦断中心線Ｐに関して対称に位置する一対のバリアカフシート５３が取り付けられている。バリアカフシート５３は、おむつ本体１４の両側部の一部を形成する近位部６１と、腹背側域１１，１２において内層シート２２及び外層シート２３の身体対向面に固定された前端固定部及び後端固定部と、前後端固定部間において縦方向Ｙへ延びる、バリアカフシート５３の内側縁を内方へ折り返すことによって形成された遠位部（自由縁部）６４とを有する。遠位部６４には、縦方向Ｙへ延びる、糸状、ストリング状又はストランド状の弾性材料から形成された、１条又は複数条のカフ弾性体６５が伸長状態で収縮可能に取り付けられる。遠位部６４は、吸収性物品１０の着用状態において、カフ弾性体６５の収縮作用によって内層シート２２の身体対向面から離間し、排泄物の横漏れを防止するための一対の防漏カフが形成される。
【００３１】
また、バリアカフシート５３の近位部６１と防漏シート２６との間には、縦方向Ｙへ延びる、糸状、ストリング状又はストランド状の弾性材料から形成された１条又は複数条のサイド弾性体６６が伸長状態で収縮可能に取り付けられている。外層シート２３とバリアカフシート５３とは、腹背側域１１，１２において、内層シート２２と防漏シート２６との両側縁からさらに横方向Ｘの外方へ延出して互いに重なり合い、腹側サイドフラップと背側サイドフラップが形成されている。腹側サイドフラップを形成する外層シート２３とバリアカフシート５３との両側縁部間には、一対のファスニングタブ１５の固定部１５ａが介在されており、両シート２３，５３の内面に塗布されたホットメルト接着剤（図示せず）を介して固定されている。
【００３２】
本実施形態において、カフ弾性体６５とサイド弾性体６６とは、繊度２８０〜５００ｄｔｅｘの糸状、ストリング状又はストランド状の弾性材料を約２．０〜３．０倍、好ましくは、２．２〜２．５倍に伸長して収縮可能に取り付けられたものであって、各弾性体６５，６６に求められる所要の収縮力によって、複数条の弾性体における離間寸法（ピッチ）を適宜設定することができる。また、各弾性体６５，６６を形成する弾性材料の繊度や伸長倍率を均一にせずに互いに異なるように設定することもできる。本実施形態においては、サイド弾性体６６は、おむつ本体１４の縦方向Ｙの全域、すなわち、第１端縁１４ａと第２端縁１４ｂとの間において縦方向Ｙへ一連に延びている。一方、カフ弾性体６５は、第１端縁１４ａから吸液層２５よりも背側域１２側まで延在している。
【００３３】
おむつ本体１４の腹側域１１と背側域１２とには、それぞれ、内層シート２２と防漏シート２６との間において第１及び第２端縁１４ａ，１４ｂに沿って横方向Ｘへ延びる、帯状の腹側弾性体７１と背側弾性体７２とが配置されている。腹背側弾性体７１，７２は、天然又は合成ゴム製や発泡性のポリウレタン製の糸ゴム、平ゴム（ウレタンフォーム）やリボン状の弾性体から形成されるものであって、本実施形態においては、発泡性ポリウレタン製の平ゴムが配置されている。腹背側弾性体７１，７２は、腹背側域１１，１２の比較的に広い範囲に収縮力を作用して身体にフィットさせるために、所要の幅寸法（縦方向Ｙの寸法）を有するものであることが好ましい。サイド弾性体６６の両端部は、腹背側弾性体７１，７２の横方向両端部と平面視において互いに重なっている。
【００３４】
図６を参照すると、吸収性物品１０の着用状態における背面視において、インジケータ５０は愛玩動物５の腹部から尻尾開口まで直状に延びている。したがって、愛玩動物５が排尿したときには、インジケータ５０が呈色することによって、着用補助者は、おむつ１０を脱がすことなく、着用させた状態のまま排尿したことを容易に認識することができる。また、インジケータ５０が着用状態において愛玩動物５の腹部側にのみ位置する場合には、愛玩動物５を仰向けにして確認する必要があるが、腹部から尻尾開口まで延びていることによって、歩行時を含む立位状態で排尿の有無を識別することができる。
【００３５】
乳幼児や介護を必要とする老人を対象とするおむつ等の吸収性物品の場合には、おむつかぶれや不快感を取り除くために、１度の排尿によって新しい吸収性物品に交換することが一般的であるが、愛玩動物用の吸収性物品においては、人の肌に比べてかぶれ等が生じ難いことに加えて、着用操作中に愛玩動物が体を硬直させたり動かしたりしてスムーズに着用させることが困難であるために、１度の排尿で交換をすることはなく、複数回の排尿後、吸収性物品を交換することが多くみられる。したがって、インジケータによって排尿を確認しても、着用補助者が吸収性物品を交換しないことも考えられるが、雌の愛玩動物の場合には、排泄器が吸液層の背側域側の端部と対向することから、吸液性コアに吸収された尿が該端部から腹側域側へ向かって拡散される前に、吸液性コアの後端縁から縦方向の外側に尿が拡散して、尻尾開口から外部に漏れ出てしまうおそれがある。
【００３６】
本実施形態に係るおむつ１０においては、雌の愛玩動物５が排尿したときに、排泄器と対向する第２端域２５Ｂから中間域２５Ｃへ尿が拡散される。このとき、インジケータ５０の積層部分５１は体液によって呈色して外部から変化後の色が視認されるので、着用補助者は（最初の）排泄がされたことを認識することができる。かかる状態において、吸液層２５の第２端域２５Ｂ及びその近傍の使用効率が１００％未満の場合には、尿が吸液性コア４０の後端縁４０ｂから縦方向Ｙの外側へ滲出することはなく、非積層部分５２には尿が接触せずに呈色を示さないので、着用補助者は、尿が尻尾開口から外部に漏れ出るおそれはないと判断することができる。
【００３７】
愛玩動物５が、さらに複数回に渡って排泄を繰り返すことによって、吸液層２５の第２端域２５Ｂ及びその近傍の使用効率が１００％以上となって尿が吸液性コア４０の後端縁４０ｂから縦方向Ｙの外側へ滲出し、インジケータ５０の非積層部分５２に尿が接触して呈色される。それによって、着用補助者は、尿が尻尾開口から外部に漏れ出るおそれがあることを認識し、速やかにおむつ１０を交換することができる。このように、インジケータ５０は、吸液性コア４０と厚さ方向Ｚ（又は展開状態における平面視）において重なる積層部分５１によって（最初の）排尿がなされたことを認識できる機能と、吸液性コア４０と厚さ方向Ｚにおいて重ならない非積層部分５２によって、尿が尻尾開口から外部に漏れ出るおそれがあることを知らせる機能とを備えている。インジケータ５０がかかる２つの機能を備えることによって、着用補助者は、最初の排尿時と複数の排尿後とにおいて、適正なおむつ１０の交換時期を判断ことができる。
【００３８】
再び、図５を参照すると、インジケータ５０の非積層部分５２の一部は、吸液性コア４０の後端縁４０ｂからさらに縦方向Ｙの外側へ延出するコアカバーシート４１の後端部４４と厚さ方向Ｚにおいて重なっている。したがって、非積層部分５２は、コアカバーシート４１においてその後端縁４１ｂまで拡散された尿によっても呈色される。このように、コアカバーシート４１を拡散した尿によってインジケータ５０の非積層部分５２が呈色されるので、非積層部分５２の呈色が促進されるとともに、吸液性コア４０の後端縁４０ｂから尿が完全に外部に滲出する前に、事前に非積層部分５２が呈色することによって、これ以上の排泄によって尿が尻尾開口から外部に漏れ出るおそれがあることを着用補助者に知らせることができる。ただし、尿が尻尾開口から外部に漏れ出ることなくおむつ１０を適切な時期に交換することができるように非積層部分５２の呈色反応速度を調整することができる限りにおいて、コアカバーシート４１が吸液性コア４０の後端縁４０ｂから縦方向Ｙの外側へ延出せずに、非積層部分５２がコアカバーシート４１と厚さ方向Ｚにおいて重なっていなくてもよい。
【００３９】
また、コアカバーシート４１が切断ライン３０の一部と重なっていないことから、着用状態においてコアカバーシート４１の後端縁４１ｂまで拡散された体液が尻尾開口の開口縁から外部に漏れ出るおそれはない。さらに、インジケータ５０の非積層部分５２の一部が舌片３１と重なって位置することによって、着用状態において、舌片３１の内面に位置する非積層部分５２が外部に露出される。したがって、インジケータ５０の呈色前後の色を視認することができ、非重畳部分５２が呈色による色変化を容易に認識することができる。
【００４０】
本実施形態に係るおむつ１０を雄の愛玩動物５が着用したときには、雌の愛玩動物の場合と異なり、排泄器が吸液層２５の第１端域２５Ａと対向して位置する。したがって、排泄された尿が吸液層２５の第１端域２５Ａに吸収されて中間域２５Ｃ及び第２端域２５Ｂ側へ拡散され、吸液層２５全体の使用効率が１００％以上になったときに、吸液性コア４０の後端縁４０ｂから外部に尿が滲出して、尿が非積層部分５２に接触して呈色反応を示す。したがって、雌の愛玩動物の場合には、吸液層２５全体の使用効率が１００％以下であっても、排泄器と対向する第２端域２５Ｂ及びその近傍の使用効率が１００％以上になることによって後端縁４０ｂから滲出した尿によって非積層部分５２が呈色するのに対し、雄の愛玩動物の場合には非積層部分５２の呈色は吸液層２５全体の使用効率が１００％以上となったことを意味するので、より吸液層２５の保液量が上限に達した状態でおむつ１０を交換することができる。
【００４１】
インジケータ５０は、愛玩動物５の背面視において視認されるように、吸液層２５の縦方向中央部から背側域１２側に延びていればよく、縦方向中心部から腹側域１１側に延びていなくてもよい。かかる場合であっても、愛玩動物５の背面視において、腹部から尻尾開口まで連続してインジケータ５０が延びることになるので、視認が容易であって、呈色を確認しやすくなる。また、愛玩動物５を仰向した状態で確認される吸液層２５の縦中心部よりも腹側域１１側に位置する部分に延在させないことによって、材料コストを抑えることができる。また、インジケータ５０は、おむつ本体１４の横断中心線Ｑから背側域１２側に延びている部分のみから形成されていてもよい。かかる場合であっても、吸液性コア４０の後端縁４０ｂから尿が滲出したことを確認することができ、より材料コストを抑えることができる。
【００４２】
なお、図示していないが、おむつ１０を製造する工程において、ミシン目状の切断ラインを形成した後に、インジケータ５０を配置することが好ましい。おむつ１０は、構成する資材を機械方向へ高速に搬送する生産ラインで製造するので、インジケータ５０を配置した後に切断ラインを形成する場合には、インジケータ５０の一部を囲むように切断ラインを形成するので位置合わせの調整が難しく、切断手段（カッター）が位置ずれしてインジケータ５０を切断してしまうおそれがある。生産ラインにおいて切断ラインの形成工程後に、インジケータの配置工程を設けることによって、かかる事態を避けることができる。
【００４３】
図７は、変形例の一例におけるおむつ１０を背面側から視た平面図である。本変形例においては、おむつ本体１４の外面（外層シート２３の非身体対向面側）全体には、意匠性を付与するために、外部から視認可能な色を有する装飾域（着色域）６５と、色を有しない非装飾域（非着色域）６６とが配置されている。装飾域６８は、色彩の他に、文字、図柄、キャラクターデザイン等の装飾要素を含むことができ、図示例では、ドット状に示す有色の背景に有色又は白抜きされた星形の装飾要素が配置されている。装飾域６８は、防漏シート２６の非身体対向面側に印刷されることによって外層シート２３を透過して視認されるようにしてもよいし、外層シート２３の外面に印刷されていてもよい。防漏シート２６に印刷されている場合には、外層シート２３は、装飾域６８が外部から明確に視認される程度の全光線透過率を有することが好ましい。
【００４４】
装飾域６８は、おむつ本体１４の両側において縦方向Ｙへ延びており、非装飾域６９は、横方向Ｘにおいて装飾域６８の間に位置して、縦断中心線Ｐと重なって縦方向Ｙへ延びている。非装飾域６９は、吸液層２５を縦断するインジケータ５０と厚さ方向Ｚにおいて重なって位置している。インジケータ５０の全体が装飾域６８と厚さ方向Ｚにおいて重なる場合には、インジケータ５０に尿が接触して呈色しても変化後の色が、装飾域６８の色と重なることによって視認され難くなるおそれがあるが、非装飾域６９とインジケータ５０とが、かかる配置態様を有することによって、インジケータ５０の色を外部から明確に視認することができる。かかる効果を有するために、インジケータ５０の少なくとも一部が非装飾域６９と重なっていればよく、非積層部分５２が非装飾域６９と重なって位置することが好ましい。また、非装飾域６９は、おむつ本体１４の両端縁１４ａ，１４ｂ間に連続して延びていなくてもよく、インジケータ５０の少なくとも一部と重なる限りにおいて、局所的又は断続的に配置された複数の部分から形成されていてよい。
【００４５】
＜第２実施形態＞
図８は、第２実施形態に係るおむつ１０の図２と同様の展開平面図である。本実施形態に係るおむつ１０の基本構造は、第１実施形態のそれとほぼ同様であるので、相違する点についてのみ以下に説明する。
【００４６】
図８を参照すると、本実施形態に係るおむつ１０のインジケータ７０は、吸液性コア４０と厚さ方向Ｚにおいて互いに重なっておらず、後端縁４０ｂから背側域１２側へ向かって縦方向Ｙの外側へ延びる部分のみから形成されている。かかる形状及び配置態様を有するインジケータ７０は、吸液性コア４０と重なっていないことから最初の排尿があったことを識別できる機能を有するものではないが、吸液性コア４０の後端縁４０ｂから滲出する尿によって呈色されることから、複数回の排尿後において尿が尻尾開口から外部に漏れ出るおそれがあることを知らせる機能を有するものである。
【００４７】
＜第３実施形態＞
図９を参照すると、本実施形態に係るおむつ１０のインジケータ８０は、吸液層２５を縦断するように縦方向Ｙへ延びており、吸液性コア４０の前端縁４０ａから縦方向Ｙの外側へ延びる第１非積層部分８０Ａと、吸液性コア４０の後端縁４０ｂから縦方向Ｙの外側へ延びる第２非積層部分８０Ｂと、第１非積層部分８０Ａと第２非積層部分８０Ｂとの間に位置する、吸液性コア４０と厚さ方向Ｚにおいて重なる積層部分８０Ｃとを有する。インジケータ８０がかかる形状、配置態様を有することによって、愛玩動物５が排尿したときに吸液性コア４０と厚さ方向Ｚにおいて重なる積層部分８０Ｃが排尿によって呈色するので、着用補助者は最初の排尿があったことを認識することができる。また、雌の愛玩動物５が着用するときには、吸液層２５の第２端域２５Ｂと対向する排泄器から尿が排泄され、排泄が複数繰り返されることによって吸液性コア４０の後端縁４０ｂから尿が滲出してインジケータ８０の第２非積層部分８０Ｂが呈色し、着用補助者は、尿が尻尾開口から外部に漏れ出るおそれがあることを認識することができる。
【００４８】
一方、雄の愛玩動物５が着用するときには、吸液層２５の第１端域２５Ａと対向する排泄器から尿が排泄され、排泄が複数繰り返されることによって、吸液性コア４０の前端縁４０ａから尿が外部に滲出して第１非積層部分８０Ａが呈色する。それによって、着用補助者は、これ以上排尿を繰り返すことによってさらに多量の尿が前端縁４０ａから第１端縁１４ａへ向かって滲出すること認識して、おむつ１０の適切な交換時期を判断することができる。
【００４９】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」、「第２」及び「第３」等の用語は、同様の要素、位置等を単に区別するために用いてある。
【符号の説明】
【００５０】
５  愛玩動物
１０  愛玩動物用の吸収性物品（おむつ）
１１  腹側域
１２  背側域
１３  中間域
２５  吸液層
３０  切断ライン
４０  吸液性コア
４０ａ  吸液性コアの前端縁（第２端縁）
４０ｂ  吸液性コアの後端縁（第１端縁）
４１  コアカバーシート
５０，７０，８０  インジケータ
５１  積層部分
５２  非積層部分
６８  装飾域
６９  非装飾域
Ｘ  横方向
Ｙ  縦方向
Ｚ  厚さ方向
【図１】
0006407126.tif 000002
【図２】
0006407126.tif 000003
【図３】
0006407126.tif 000004
【図４】
0006407126.tif 000005
【図５】
0006407126.tif 000006
【図６】
0006407126.tif 000007
【図７】
0006407126.tif 000008
【図８】
0006407126.tif 000009
【図９】
0006407126.tif 000010